(57)【要約】【課題】波長補正を簡易に実現することのできるアレイ導波路回折格子素子を実現すること。【解決手段】アレイ導波路回折格子素子６１Ｃは、第１のＡＷＧチップ１２１1と、この第１のＡＷＧチップ１２１1と切断線６３を介して接着された第２のＡＷＧチップ１２１2と、第２のＡＷＧチップ１２１2と他の切断線１０２を介して接着された第３のＡＷＧチップ１２１3との３つのチップから構成されている。この接着（接合）の際に接合面を移動し最適位置で固着することで波長補正を簡易に実現することができる。更に出力側スラブ導波路７１を構成する第３のＡＷＧチップ１２１3を適宜選択して接合することで、たとえば出力側のチャネル数を増やしたり、モニタ用の出力端子を具備したものにすることも可能である。【選択図】図７
2004102314.tif 000002
【特許請求の範囲】
【請求項１】
　第１の基板上に形成された入力導波路と、
　前記第１の基板上に配置され、各導波路の長さが所定の導波路長差で順次長くなるように構成されたチャネル導波路アレイと、
　前記第１の基板上に配置され、前記入力導波路と前記チャネル導波路アレイの一端側とを接続する入力側スラブ導波路と、
　前記第１の基板上に配置され、前記チャネル導波路アレイの他端側と接続し、かつ出力側スラブ導波路の一部分を形成する第１の出力側スラブ導波路と、
　前記第１の基板と異なる第２の基板上に配置され、前記出力側スラブ導波路の残りの部分を形成し、これらの基板の端面同士を対向させて接合することにより、前記第１の出力側スラブ導波路と組み合わされて前記出力側スラブ導波路の全体を形成する第２の出力側スラブ導波路と、
　前記第２の基板上に形成され前記第２の出力側スラブ導波路と接続する複数本の出力導波路
とを備え、
　前記第２の出力側スラブ導波路は、それに接続されている出力導波路数が互いに異なる第２の出力側スラブ導波路から任意に選択可能であることを特徴とするアレイ導波路回折格子素子。
【請求項２】
　第１の基板上に形成された１または複数本の入力導波路と、
　この入力導波路に接続されると共に前記第１の基板上に形成される入力側スラブ導波路の前半部分としての形状を有する第１の入力側スラブ導波路と、
　前記第１の基板と同一または異なる第２の基板上に形成され、前記入力側スラブ導波路の後半部分としての形状を有し、前記入力側スラブ導波路の前半部分と後半部分が互いに対向面を固着させた第２の入力側スラブ導波路と、
　前記第２の基板上に各導波路の長さが所定の導波路長差で順次長くなるように形成されその一端側が前記第２の入力側スラブ導波路と接続されたチャネル導波路アレイと、
　前記第２の基板上に形成され前記チャネル導波路アレイの他端側と接続される出力側スラブ導波路の前半部分としての形状を有する第１の出力側スラブ導波路と、
　前記第２の基板と同一または異なる第３の基板上に形成される前記出力側スラブ導波路の後半部分としての形状を有し、前記出力側スラブ導波路の前記前半部分と後半部分が互いに対向面を固着させた第２の出力側スラブ導波路と、
　前記第３の基板上に形成され前記第２の出力側スラブ導波路と接続する複数本の出力導波路
とを備え、
　前記第２の出力側スラブ導波路は、それに接続されている出力導波路数が互いに異なる第２の出力側スラブ導波路から任意に選択可能であることを特徴とするアレイ導波路回折格子素子。
【発明の詳細な説明】
【技術分野】
【０００１】
　本発明はアレイ導波路回折格子素子に係わり、詳細には選択する波長の補整を行うことのできるアレイ導波路回折格子素子に関する。
【背景技術】
【０００２】
　伝送するデータの大容量化と共に、光ファイバ通信システムで更なる伝送容量の拡大が望まれている。このために、高密度波長分割多重通信方式（Dense Wavelength Division Multiplexing:DWDM）で、それぞれの波長を分割したり統合するための合分波デバイスとしての光波長フィルタの重要性がますます高まっている。
【０００３】
　光波長フィルタはさまざまな形態のものがある。中でもアレイ導波路回折格子は、波長特性が狭帯域で高消光比であり、また多入力多出力のフィルタデバイスとしての特徴も持っている。このため、多重化された信号の分離やその逆の動作を行わせることが可能であり、容易に波長合分波デバイスを構成することができるという利点がある。更にアレイ導波路回折格子素子を石英導波路を使用して構成すると、光ファイバとの結合に優れ、挿入損失が数ｄＢ（デシベル）程度の低挿入損失動作を実現することができる。このような点から、アレイ導波路回折格子は光波長フィルタの中でも特に重要なデバイスとして注目されており、国内外で盛んに研究が行われている。
【０００４】
　図３３は、従来のアレイ導波路回折格子の全体的な構成を表わしたものである。アレイ導波路回折格子１１は、図示しない基板上に形成された１本または複数本の入力導波路１２と、複数本からなる出力導波路１３と、異なった曲率でそれぞれ一定方向に曲がったチャネル導波路アレイ１４と、入力導波路１２とチャネル導波路アレイ１４を接続する入力側スラブ導波路１５と、チャネル導波路アレイ１４と出力導波路１３を接続する出力側スラブ導波路１６とによって構成されている。入力導波路１２から入射した多重信号光は、入力側スラブ導波路１５によってその進路を広げる。そしてチャネル導波路アレイ１４にそれぞれ等位相で入射する。入射光強度については入力側スラブ導波路１５の各入射位置で等しくはなく、中央部ほど強度が強く、ほぼガウス分布となっている。
【０００５】
　チャネル導波路アレイ１４では、これを構成する各アレイ導波路の間に一定の光路長差が設けられていて、光路長が順次長く、あるいは短くなるように設定されている。したがって、それぞれのアレイ導波路を導波する光には一定間隔ずつの位相差が付けられて出力側スラブ導波路１６に到達するようになっている。実際には波長分散があるので、波長によってその等位相面が傾く。この結果、波長によって出力側スラブ導波路１６と出力導波路１３の界面上の異なった位置に光が結像（集光）する。波長に対応したそれぞれの位置に出力導波路１３が配置されているので、出力導波路１３からは任意の波長成分を取り出すことが可能になる。
【０００６】
　ところでこのようなアレイ導波路回折格子１１の中心波長は導波路材料の屈折率の変化に非常に敏感である。このため、その製造プロセスとしての成膜プロセスでのバラツキによって中心波長が変動してしまい、設計通りの値を得ることができない場合が多い。中心波長が変動すると、使用する波長での光損失が大きくなるという問題がある。
【０００７】
　そこで、通常のＡＷＧ（arrayed wave guide：アレイ状導波路）による入出力導波路の他に波長補正用の入出力導波路を設けるようにする第１の提案（たとえば特許文献１参照。）が行われている。この第１の提案では、波長の補正量に応じて入出力導波路を変更するようにしている。
【０００８】
　波長差δλに対する分波方向の確度の差をδθとするとき、アレイ導波路回折格子では入力導波路１２の位置、すなわちスラブ入射角度θinを変更することで、中心波長λinを次の（１）式に示す値だけ補正することができる。
【０００９】
【数１】
2004102314.tif 000003
【００１０】
　ただし、この波長補正用の入出力導波路は離散的に配置されている。このため、波長の補正量も離散的となり、任意に波長を補正することができない。任意の波長補正量を得るためには、スラブ入射角度θinを任意に取る必要がある。
【００１１】
　図３４は、このような問題を解決するためのアレイ導波路回折格子素子の構成を表わしたものである。この第２の提案（たとえば非特許文献１参照。）では、ＡＷＧ（arrayed wave guide：アレイ状導波路）ウェハ２１の入力側のスラブ入射部２２で基板を切断している。そして、やとい（ガラス）によって補強されたスラブ入射部２２で、同じくやとい２３に挟まれた入力用ファイバ２４を接着（固着）している。この接着時に直接調芯を行い、波長補正量に合わせて入力用ファイバ２４の位置を任意に変えるようにしている。
【００１２】
　しかしながら、一般に入力用ファイバ２４のスポットサイズの製造上の誤差は光導波路のスポットサイズの製造上の誤差に比べて非常に大きい。このため、このような手法を採ると入力用ファイバ２４のスポットサイズが大きくばらついたような場合にアレイ状導波路の特性を劣化させる要因になるという問題があった。
【００１３】
　図３５はこのような問題を解決するための第３の提案（たとえば非特許文献２参照。）を示したものである。この第３の提案では、図３５に示したようにスラブ入射部２２で入力用ファイバ２４を接着するのではなく、入力用ファイバ３１はスラブ導入用光導波路３２を介して入力側スラブ導波路３３に接続されている。入力側スラブ導波路３３と出力側スラブ導波路３４は共にＡＷＧ素子ウェハ３５上に形成されており、これらの間にはチャネル導波路アレイ３６が接続されている。また、出力側スラブ導波路３４とファイバアレイ３７の間には出力導波路３８が接続されている。
【特許文献１】特開平９−４９９３６号公報
【非特許文献１】P.CPU.Clementsetal，IEEE，Photon，Tech，lett，Vol.7,No.10,pp.1040-1041,1995
【非特許文献２】電子情報通信学会総合大会Ｃ−３−７６（２０００）
【発明の開示】
【発明が解決しようとする課題】
【００１４】
　この図３５に示したアレイ導波路回折格子素子の場合には、スラブ導入用光導波路３２を入力用ファイバ３１と入力側スラブ導波路３３の間に設けている。この場合には、入力側スラブ導波路３３に導波路を接続するので前記したスポットサイズのバラツキの問題は少なくなる。しかしながらスラブ導入用光導波路３２を別途用意する必要があるので、量産性の障害となる場合があり得るという問題がある。
【００１５】
　また、図３４および図３５に示した手法ではスラブの入射部を切断している。このため、このスラブ切断位置に光軸方向の誤差が発生するとスラブ長が変化することになり、波長特性が劣化する要因になる。すなわち、スラブ長が長めになるように切断された場合にはこれを研磨等によって調整することができるが、スラブ長が短めになってしまったような場合には、修正自体が不可能になる。
【００１６】
　更に、デバイスをモジュール実装する場合を考慮すると入力用ファイバと出力用ファイバは互いに平行になっていることが望まれる。このためには図３４および図３５に示したように両者を平行にするためにＡＷＧウェハ内のチップのレイアウトを単純なものから変更する必要があり、これがウェハ内チップレイアウトを制限する要因になる。
【００１７】
　図３６はこのようなウェハ内チップレイアウトが制限されない場合に採りうる２連化されたアレイ状導波路の例を示したものである。この図には１ウェハ当りのアレイ状導波路の歩留まりを上げて収穫量を増やすために、ＡＷＧスラブ部４１、４２および４３、４４を交叉させてアレイ状導波路４５、４６を２連化して配置した状態を示している。このようなウェハ内チップレイアウトでは、２つのアレイ状導波路４５、４６のうちの特性の良いものを選択することで歩留まりを上げることができる。
【００１８】
　しかしながら図３６に示したアレイ状導波路４５、４６はたとえば上下対称に配置可能な形状となっているので、ＡＷＧスラブ部４１、４２および４３、４４を交差させるように配置することでこのような２連化配置が可能である。図３４および図３５に示したような形状のアレイ状導波路ではこれらを２連に配置することが困難である。
【００１９】
　以上説明したように中心波長の補正を行うようにした従来のアレイ導波路回折格子素子では、スポットサイズの誤差によるアレイ状導波路の特性の劣化や、専用導波路を準備する手間、あるいはチップレイアウトの制限等の問題を生じさせていた。
【００２０】
　以上、アレイ導波路回折格子素子についての問題を説明したが、このようなアレイ導波路回折格子素子を使用したアレイ導波路モジュールおよび光通信システムにもこれと同様の問題があった。
【００２１】
　そこで本発明の目的は、波長補正を簡易に実現することのできるアレイ導波路回折格子素子を提供することにある。
【課題を解決するための手段】
【００２２】
　本発明のアレイ導波路回折格子素子では、第１の基板上に形成された入力導波路と、第１の基板上に配置され、各導波路の長さが所定の導波路長差で順次長くなるように構成されたチャネル導波路アレイと、第１の基板上に配置され、前記入力導波路とチャネル導波路アレイの一端側とを接続する入力側スラブ導波路と、前記第１の基板上に配置され、前記チャネル導波路アレイの他端側と接続し、かつ出力側スラブ導波路の一部分を形成する第１の出力側スラブ導波路と、前記第１の基板と異なる第２の基板上に配置され、前記出力側スラブ導波路の残りの部分を形成し、これらの基板の端面同士を対向させて接合することにより、前記第１の出力側スラブ導波路と組み合わされて前記出力側スラブ導波路の全体を形成する第２の出力側スラブ導波路と、前記第２の基板上に形成され前記第２の出力側スラブ導波路と接続する複数本の出力導波路とを備え、前記第２の出力側スラブ導波路は、それに接続されている出力導波路数が互いに異なる第２の出力側スラブ導波路から任意に選択可能であることを特徴としている。
【００２３】
　これにより、第１の出力側スラブ導波路と第２の出力側スラブ導波路の固着の際にこれらをアナログ的にずらして固定することで、出力側での波長補正を精度良く行うことができる。また、各種の出力側スラブ導波路を選択することで、出力側のチャネル数の変更等が可能になる。また、２つの部品を固着して１つのアレイ導波路回折格子素子を構成するので、アレイ導波路回折格子素子を１つの部品として製造する場合に比べて歩留まりを向上させることができる。しかも第２の出力側スラブ導波路側を第１の出力側スラブ導波路に接続する際に、当該出力側スラブに接続された出力導波路数の互いに異なる第２の出力側スラブ導波路を用意しておけば、これらの中から所望のポート数を選択できる。すなわち本発明は波長の補正以外の目的で使用することも可能である。
【００２４】
　また本発明のアレイ導波路回折格子素子では、第１の基板上に形成された１または複数本の入力導波路と、この入力導波路に接続されると共に第１の基板上に形成される入力側スラブ導波路の前半部分としての形状を有する第１の入力側スラブ導波路と、第１の基板と同一または異なる第２の基板上に形成され、前記入力側スラブ導波路の後半部分としての形状を有し、前記入力側スラブ導波路の前半部分と後半部分が互いに対向面を固着させた第２の入力側スラブ導波路と、前記第２の基板上に各導波路の長さが所定の導波路長差で順次長くなるように形成されその一端側が第２の入力側スラブ導波路と接続されたチャネル導波路アレイと、第２の基板上に形成され前記チャネル導波路アレイの他端側と接続される出力側スラブ導波路の前半部分としての形状を有する第１の出力側スラブ導波路と、第２の基板と同一または異なる第３の基板上に形成される前記出力側スラブ導波路の後半部分としての形状を有し、前記出力側スラブ導波路の前記前半部分と後半部分が互いに対向面を固着させた第２の出力側スラブ導波路と、前記第３の基板上に形成され前記第２の出力側スラブ導波路と接続する複数本の出力導波路とを備え、前記第２の出力側スラブ導波路は、それに接続されている出力導波路数が互いに異なる第２の出力側スラブ導波路から任意に選択可能であることを特徴としている。
【００２５】
　これにより、１つの発明が入力側スラブ導波路を２つの部品に分け、他の発明が出力側スラブ導波路を２つの部品に分けたのを組み合わせた形として、入力側スラブ導波路と出力側スラブ導波路によって合計３つの部品に分けた形としている。そしてそれぞれの端面の箇所で必要に応じて所望量だけずらしてこれらの部品を固着することで、アレイ導波路回折格子素子を実現している。したがって、固着の際に２箇所の固着箇所の双方あるいは一方を所望の量だけアナログ的にずらして固定することで、波長補正を精度良く行うことができる。また、各種の出力側スラブ導波路を選択することで、出力側のポート数の変更等が可能になる。更に、３つの部品を固着して１つのアレイ導波路回折格子素子を構成するので、アレイ導波路回折格子素子を１つの部品として製造する場合に比べて歩留まりを向上させることができる。また、入力側スラブ導波路と出力側スラブ導波路の間に配置されるチャネル導波路アレイを構成する第２の基板は他の基板よりも精度が要求されるので、たとえばこの第２の基板のみを精度の高い製造プロセスで製造し、他の第１および第３の基板を比較的精度の低い製造プロセスで製造してこれらを組み合わせて１つのアレイ導波路回折格子素子を構成することで、歩留まりの向上とコストダウンを実現することができる。しかも分断された第２の出力側スラブ導波路側を第１の出力側スラブ導波路に接続する際に、当該出力側スラブに接続された出力導波路数の互いに異なる第２の出力側スラブ導波路を用意しておけば、これらの中から所望のポート数を選択できることを示している。すなわち本発明は波長の補正以外の目的で使用することも可能である。
【発明の効果】
【００２６】
　以上説明したように本発明によれば、第２の出力側スラブ導波路は、それに接続された出力導波路数が互いに異なる第２の出力側スラブ導波路から任意に選択可能としたので、これらの中から所望のチャネル数を選択することができ、波長の補正以外の用途にも適用することができる。また本発明によれば、第２の出力側スラブ導波路は、それに接続された出力導波路数の少なくとも１つがモニタ用のポートに割り当てられた第２の出力側スラブ導波路として構成されているので、このような出力側スラブ導波路を選択することで、波長補正作業の容易化・高精度化や、出力の制限等を行えるようになる。更に本発明によれば、第１の入力側スラブ導波路と接続する入力導波路の、入力側スラブ導波路との接続部分の形状の一部または全部が互いに異なる複数種類の第１の基板が、第２の基板との選択的な接続のために用意されている。したがって、複数種類用意された第１の基板の中から１つを選択して第２の基板と接続することで、第１の入力側スラブ導波路と接続する入力導波路の、入力側スラブ導波路との接続部分の形状の一部または全部が広がっているとか狭まっているといったような各種のものを任意に選択することが可能になり、たとえばスペクトル形状を選択することで、アレイ導波路回折格子素子を所望の特性のものとすることができる。また本発明によれば、第２の出力側スラブ導波路と接続する出力導波路の、出力側スラブ導波路との接続部分の形状の一部または全部が互いに異なる複数種類の第２の基板が、第１の基板との選択的な接続のために用意されている。したがって、複数種類用意された第２の基板の中から１つを選択して第１の基板と接続することで、第２の出力側スラブ導波路と接続する出力導波路の、出力側スラブ導波路との接続部分の形状の一部または全部が広がっているとか狭まっているといったような各種のものを任意に選択することが可能になり、たとえばスペクトル形状を選択することで、アレイ導波路回折格子素子を所望の特性のものとすることができる。更に本発明によれば、第２の出力側スラブ導波路と接続する出力導波路の、出力側スラブ導波路との接続部分の形状の一部または全部が互いに異なる複数種類の第３の基板が、第２の基板との選択的な接続のために用意されている。したがって、複数種類用意された第３の基板の中から１つを選択して第２の基板と接続することで、第２の出力側スラブ導波路と接続する出力導波路の、出力側スラブ導波路との接続部分の形状の一部または全部が広がっているとか狭まっているといったような各種のものを任意に選択することが可能になり、たとえばスペクトル形状を選択することで、アレイ導波路回折格子素子を所望の特性のものとすることができる。
【発明を実施するための最良の形態】
【００２７】
以下実施例につき本発明を詳細に説明する。
【実施例】
【００２８】
　図１は本発明の一実施例におけるアレイ導波路回折格子素子を示したものである。このアレイ導波路回折格子素子６１は、第１のＡＷＧ（arrayed wave guide：アレイ状導波路）チップ６２1と、この第１のＡＷＧチップ６２1と切断線６３を介して接着（固着）された第２のＡＷＧチップ６２2の２つのチップから構成されている。これら第１および第２のＡＷＧチップ６２1、６２2は本来１つのウェハであったものを切断線６３で切断して、この切断線６３の方向に所望の量だけ移動させた後に接着剤等で両者を固定したものである。
【００２９】
　第２のＡＷＧチップ６２2の一端部には、入力側ファイバアレイ６５が取り付けられている。また、第１のＡＷＧチップ６２1におけるこれと反対側の端部には出力側ファイバアレイ６７が取り付けられている。第１のＡＷＧチップ６２1と第２のＡＷＧチップ６２2の境界部分には、補強用のやとい６８を入力側の端部に接着した入力側スラブ導波路６９が配置されており、第１のＡＷＧチップ６２1におけるファイバアレイ６７の近傍には出力側スラブ導波路７１が配置されている。入力側スラブ導波路６９と出力側スラブ導波路７１の間には、異なった曲率でそれぞれ一定方向に曲がったチャネル導波路アレイ７２が配置されている。また、ファイバアレイ６５と入力側スラブ導波路６９の間には入力導波路７４が、出力側のファイバアレイ６７と出力側スラブ導波路７１の間には出力導波路７５がそれぞれ配置されている。
【００３０】
　図２は、本実施例のアレイ導波路回折格子素子の製造工程の流れを示したものである。まず、第１のＡＷＧチップ６２1と第２のＡＷＧチップ６２2の２つのチップに切断する前のチップを製造し、ウェハから切り出す（ステップＳ８１）。そしてこのチップに対して入力側スラブ導波路６９および出力側のファイバアレイ６７を取り付けて入力側ファイバアレイ６５および出力側ファイバアレイ６７を接着する（ステップＳ８２）。次に、入力側スラブ導波路６９における切断線６３で示す切断箇所を補強するためにこの部位のスラブ導波路の上面、下面あるいはこれら両面にやとい６８を接着する（ステップＳ８３）。そしてこの切断線６３で示す切断箇所を、光軸に垂直方向に切断する（ステップＳ８４）。切断した端面は、互いに接続が良好に行われるように研磨しておく。このとき、第１のＡＷＧチップ６２1と第２のＡＷＧチップ６２2には入力側ファイバアレイ６５および出力側ファイバアレイ６７が付いたままである。
【００３１】
　これら第１のＡＷＧチップ６２1と第２のＡＷＧチップ６２2は、光軸調芯され、切断線６３と平行の切断方向に対する波長補正が行われる所望の位置が求められる（ステップＳ８５）。その位置で第１のＡＷＧチップ６２1と第２のＡＷＧチップ６２2を接着剤で固定する（ステップＳ８６）。接着剤としてはＵＶ（ultraviolet：紫外線）硬化樹脂や、熱硬化樹脂等を用いることができる。ＵＶ硬化樹脂を使用する場合には、紫外線透過率を考慮して、デバイス基板材料として石英基板等の透明なもの、すなわち紫外線透過率の高いものを用いることが望ましい。また、入力側スラブ導波路６９については切断して位置をずらして固定するので、切断時の切りしろと研磨しろの分だけその長さを長めに設計しておく必要がある。
【００３２】
＜第１の変形例＞
【００３３】
　ところで図１に示したアレイ導波路回折格子素子６１で入力導波路７４は一つであればよく、複数本用意されている場合があるのはその中の良品を選択できるようにするためである。本発明の場合もこの点に変わりがなく、ステップＳ８５では図１に示したような入力導波路７４から光を入射させて、切断線６３に沿って第１のＡＷＧチップ６２1と第２のＡＷＧチップ６２2の位置関係を変えながら調芯を行うことになる。しかしながら、調芯量が大きくなるほど、入力側スラブ導波路６９における光の入射位置がローランド配置からずれて焦点位置が設計値から狂ってしまうことになる。
【００３４】
　図３は、このよう場合に有効なアレイ導波路回折格子素子の変形例として入力側スラブ導波路の周囲を拡大して示したものである。この図３で図１と同一部分には同一の符号を付しており、これらの説明を適宜省略する。またこの図３では、煩雑さを避けるために、やとい６８（図１参照）の図示を省略している。
【００３５】
　この第１の変形例で入力側スラブ導波路６９に接続された入力導波路７４は複数本７４1〜７４N用意されている。これらの入力導波路７４1〜７４Nの中から、波長補正量に応じたスラブ移動位置に最も近い１本の入力導波路７４Kが入力用として最終的に選択される。このような手法によって、入力導波路がローランド円からずれることによって起因するアイソレーション劣化を低減することが可能になる。
【００３６】
　ちなみに、図３４あるいは図３５に示した従来のアレイ導波路回折格子素子で同様なことを行おうとすると、入力用ファイバあるいはＰＬＣ（Planar Lightwave Circuit：平面光波回路）を移動させるとこの分だけローランド円からずれることになる。
【００３７】
＜第２の変形例＞
【００３８】
　図４は本発明の第２の変形例としてスラブ切断部で生じる光の反射を軽減したアレイ導波路回折格子素子を説明するためのものである。先の実施例では第１のＡＷＧチップ６２1と第２のＡＷＧチップ６２2を切断後に接着している。ここで、このままではスラブ切断部で生じる光の反射が懸念される場合がある。この図４で図１と同一部分には同一の符号を付しており、これらの説明を適宜省略する。
【００３９】
　この第２の変形例のアレイ導波路回折格子素子６１Ａはその入力側スラブ導波路６９を光軸９１およびＡＷＧチップ６２の表面と垂直な面で切ったとしたときの、第１の切断線６３1よりも僅かに異なった角度θ1となる第２の切断線６３2で切断している。そしてこの第２の切断線６３2に沿った方向としての矢印方向９２に移動させて、第１のＡＷＧチップ６２1Ｂと第２のＡＷＧチップ６２2Ｂの位置を調整して接着するようにしている。
【００４０】
　一般に入力側スラブ導波路６９の光軸９１に対して直角とならない角度で入力側スラブ導波路６９を切断しこれを矢印方向９２に移動させると、移動する位置に応じてスラブの焦点距離が変化し、アイソレーションの劣化に繋がるおそれがある。しかしながら、この第２の変形例で示したように第１および第２の切断線６３1、６３2のなす角度θ1を僅かな角度に設定して、第１のＡＷＧチップ６２1Ｂと第２のＡＷＧチップ６２2Ｂの位置関係をたとえば１００μｍ程度中央位置から移動させたとしても、スラブの焦点距離の誤差は１０μｍ程度である。これは入力側スラブ導波路６９のスラブ長が１０〜２０ｍｍであるのに比べると十分小さい。したがって、アイソレーションの劣化はほとんど生じない。
【００４１】
　この図４に示した例ではスラブ切断位置としての第２の切断線６３2で示す位置を第１の切断線６３1に対して入射側に設定したが、これをチャネル導波路アレイ７２側に位置させることによっても同様に反射を低減することができる。
【００４２】
＜第３の変形例＞
【００４３】
　図５は、本発明の第３の変形例としてのアレイ導波路回折格子素子の要部を説明するためのものである。先の第２の変形例ではＡＷＧチップ６２の表面と垂直な面で入力側スラブ導波路６９を切断したが、シリコン基板９５および導波路９６からなるこのチップ６２の厚さ方向に微小な角度θ2だけ傾けて切断して第１のＡＷＧチップ６２1と第２のＡＷＧチップ６２2を得るようにしている。これらの切断面の位置を調整して接着することで、第２の変形例と同様にスラブ切断部で生じる光の反射を防ぐことができる。
【００４４】
　なお、スラブ切断部で生じる光の反射を防止するためには、図４と図５で示した傾斜方向を任意に組み合わせて切断面を設定してもよい。すなわち、一般には切断面は光軸に垂直な面に対して３次元空間上の所定方向に僅かに方向を異ならせた面であれば、スラブ切断部で生じる光の反射を防止することが可能になる。
【００４５】
＜第４の変形例＞
【００４６】
　図６は、本発明の第４の変形例としてのアレイ導波路回折格子素子を示したものである。この図６で図１と同一部分には同一の符号を付しており、これらの説明を適宜省略する。第４の変形例のアレイ導波路回折格子素子６１Ｂは、第１のＡＷＧチップ１０１1と、この第１のＡＷＧチップ１０１1と切断線１０２を介して接着された第２のＡＷＧチップ１０１2の２つのチップから構成されている。これら第１および第２のＡＷＧチップ１０１1、１０１2は本来１つのウェハであったものを切断線１０２で切断して、この切断線１０２の方向に所望の量だけ移動させた後に接着剤等で両者を固定したものである。第１のＡＷＧチップ１０１1と第２のＡＷＧチップ１０１2の境界部分には、補強用のやとい１０４を出力側の端部に接着した出力側スラブ導波路７１が配置されている。
【００４７】
　この変形例でも図１に示したアレイ導波路回折格子素子６１と同様に第１および第２のＡＷＧチップ１０１1、１０１2の接着位置の調整によって波長の調整を行うことができる。もちろんこの図６に示した第４の変形例でも、図４に示した第２の変形例と同様に、切断箇所を光軸に垂直な面に対して３次元空間上の所定方向に僅かに方向を異ならせた面とすることで、反射による影響を防止することができる。
【００４８】
＜第５の変形例＞
【００４９】
　図７は、本発明の第５の変形例としてのアレイ導波路回折格子素子を示したものである。この図７で図１および図６と同一部分には同一の符号を付しており、これらの説明を適宜省略する。第５の変形例のアレイ導波路回折格子素子６１Ｃは、第１のＡＷＧチップ１２１1と、この第１のＡＷＧチップ１２１1と切断線６３を介して接着された第２のＡＷＧチップ１２１2と、第２のＡＷＧチップ１２１2と他の切断線１０２を介して接着された第３のＡＷＧチップ１２１3との３つのチップから構成されている。これら第１〜第３のＡＷＧチップ１２１1〜１２１3は本来１つのウェハであったものを切断線６３、１０２で切断して、これらの切断線６３、１０２の方向にそれぞれ所望の量だけ移動させた後に接着剤等でこれらを固定したものである。一方の切断線６３は先の実施例と同様に入力側スラブ導波路６９を切断しており、他方の切断線１０２は第４の実施例と同様に出力側スラブ導波路７１を切断している。
【００５０】
　この変形例でも先の実施例および変形例に示したアレイ導波路回折格子素子６１、６１Ａと同様に第１および第２のＡＷＧチップ１２１1、１２１2の接着位置の調整および第２および第３のＡＷＧチップ１２１2、１２１3の接着位置の調整によって、それぞれ波長の調整を行うことができる。もちろんこの図７に示した第５の変形例でも、図４に示した第２の変形例と同様に、切断箇所を光軸に垂直な面に対して３次元空間上の所定方向に僅かに方向を異ならせた面とすることで、反射による影響を防止することができる。
【００５１】
＜第６の変形例＞
【００５２】
　ところで、以上の実施例および変形例では入力側と出力側スラブ導波路の一方あるいは双方を切断してこれを所望の距離だけ移動して接着するようにした。このように導波路を形成した同一の基板を切断して接着するだけでなく、異なった基板同士を接着することも可能である。また、これを積極的に推し進めて、あるスラブ導波路を切断した一方のパターンと他方のパターンの導波路基板をそれぞれ単独で多量に作製し、必要に応じてこれらを適宜組み合わせて所望の特性あるいは機能のアレイ導波路回折格子素子を実現することも可能になる。
【００５３】
　特に、アレイ導波路回折格子素子をスラブ導波路の箇所で切断した形の複数の部品として別々に製造すると、たとえばチャネル導波路アレイ７２のように高精度の加工が必要なものとそれ以外のものとをそれぞれ異なった精度で製造することが可能になり、製造工程に無駄がなくなるばかりでなく、歩留まりの向上も図ることができる。
【００５４】
　図８は１つのアレイ導波路回折格子素子を３つの部品に分けて別々に製造し接着した状態を表わしたものである。第１〜第３の部品１４１〜１４３は接合面１４４、１４５でそれぞれ接着して１つのアレイ導波路回折格子素子６１Ｄを完成させている。このうち一方の接合面１４４は入力側スラブ導波路６９を接合する面であり、他方の接合面１４５は出力側スラブ導波路７１を接合する面である。
【００５５】
　図９は、第１の部品を単独で示したものである。また、図１０〜図１２は図９に示した切断された形状の入力側スラブ導波路の端面近傍領域１５１を拡大して示す（同図（ａ））と共に、アレイ導波路回折格子素子の光出力の特性を示した（同図（ｂ））ものである。たとえば図１０（ａ）では入力側スラブ導波路６９Ａ1に接続する入力導波路７４Ａ1の接続部分の形状が、図１１（ａ）に示した、より拡大したものと図１２（ａ）のストレートなものとの中間的な形状となっている。したがって、この入力導波路７４Ａ1を用いた第１の部品１４１を使用することで第３の部品１４３として標準的な特性を有する部品が使用されていれば、図１０（ｂ）に示すように通常の波長特性のスペクトルを得ることができる。
【００５６】
　これに対して、図１１（ａ）に示したような入力導波路７４Ａ2を用いた第１の部品１４１を使用すると、同図（ｂ）で実線で示すように頂上部分がフラットとなった波長特性のスペクトルを得ることができる。更に、図１２（ａ）に示したような入力導波路７４Ａ3を用いた第１の部品１４１を使用すると、同図（ｂ）で実線で示すように頂上部分が急峻となった波長特性のスペクトルを得ることができる。したがって、所望のスペクトル形状に応じて入力導波路７４Ａ1〜７４Ａ3のいずれかを用いた第１の部品１４１を選択すればよい。
【００５７】
　図１３は、第３の部品を単独で示したものである。また、図１４〜図１６は図１３に示した切断された形状の出力側スラブ導波路の端面近傍領域１５２を拡大して示す（同図（ａ））と共に、アレイ導波路回折格子素子の光出力の特性を示した（同図（ｂ））ものである。たとえば図１４（ａ）では出力側スラブ導波路７１Ａ1に接続する出力導波路７５Ａ1の接続部分の形状が、図１５（ａ）に示した、より拡大したものと図１６（ａ）のストレートなものとの中間的な形状となっている。したがって、この出力導波路７１Ａ1を用いた第３の部品１４３を使用することで第１の部品１４１として標準的な特性を有する部品が使用されていれば、図１４（ｂ）に示すように通常の波長特性のスペクトルを得ることができる。
【００５８】
　これに対して、図１５（ａ）に示したような出力導波路７５Ａ2を用いた第３の部品１４３を使用すると、同図（ｂ）で実線で示すように頂上部分がフラットとなった波長特性のスペクトルを得ることができる。更に、図１６（ａ）に示したような出力導波路７５Ａ3を用いた第３の部品１４３を使用すると、同図（ｂ）で実線で示すように頂上部分が急峻となった波長特性のスペクトルを得ることができる。したがって、これらの場合にも所望のスペクトル形状に応じて出力導波路７５Ａ1〜７５Ａ3のいずれかを用いた第３の部品１４３を選択すればよい。もちろん、第１および第３の部品１４１、１４３を組み合わせて使用することで、更に特性を多様なものとすることができる。
【００５９】
＜第７の変形例＞
【００６０】
　図１７〜図２０は、第６の変形例に関連した変形例としてポート数や出力導波路の配置に特徴をもった出力側スラブ導波路の出力側近傍を示したものである。これらの図に示した切断された出力側スラブ導波路７１Ｂ1〜７１Ｂ4は、図１３に示した第３の部品１４３の出力側スラブ導波路の端面近傍領域１５２を拡大して示したものである。また、図２１〜図２４は、図１７〜図２０にそれぞれ示した出力側スラブ導波路および出力導波路を使用した場合のアレイ導波路回折格子素子の出力特性を１つずつ対応させて示したものである。
【００６１】
　このうち図１７に示した例では出力側スラブ導波路７１Ｂ1の出力側に１６チャネルの出力導波路７５Ｂ1が接続されている。図１８に示した例ではこの１６チャネルがより広い間隔で配置されている。したがって、図１７に対応する図２１と、図１８に対応する図２２ではそれぞれの光出力の波長のピーク位置の間隔が異なっている。
【００６２】
　一方、図１９に示した例では図１７に示した例と各チャネルの配置密度は同じであるが、図１９に示した例では３２チャネルにチャネル数が倍増している。このため図２３に示すように全チャネルの波長帯域は図２１に示した１６チャネルのものと比べると倍に増大していることになる。
【００６３】
　図２０に示した例では、出力側スラブ導波路７１Ｂ4の出力側の中央付近に出力導波路７５Ｂ5を配置し、その両隣に所定の間隔を置いて１対の出力導波路７５Ｂ4、７５Ｂ6を配置している。後者の１対の出力導波路７５Ｂ4、７５Ｂ6は出力をモニタするために使用される。すなわち、図２４に対応させて示したように出力導波路７５Ｂ5の光出力は出力側スラブ導波路７１Ｂ4の出力側の比較的中央部分から得られるので比較的品質が良好であり、図示しないメインポートに入力されて通常の信号光として処理される。これに対して１対の出力導波路７５Ｂ4、７５Ｂ6の双方あるいはいずれか一方の光出力は図示しないモニタポートに入力されて信号光の強度の制御等のモニタ用に使用されることになる。
【００６４】
　＜第８の変形例＞
【００６５】
　図２５は、第８の変形例として切断及び研磨を考慮した場合に好適な入力側スラブ導波路近傍の形状を表わしたものである。この入力側スラブ導波路６９Ｃは、その切断箇所１８１が切断および研磨しろ分としてａμｍだけ長めにスラブ長Ｓが設定されるようにマスクパターンを設計している。そして、入力側スラブ導波路６９Ｃの入力導波路７４Ｃは中央部に接続される第１の入力導波路７４Ｃ1と、その両側に所定の間隔を置いて接続される第２の入力導波路７４Ｃ2とによって構成されている。第１の入力導波路７４Ｃ1の接続されるスラブ入力端は第２の入力導波路７４Ｃ2の接続される部分よりもａμｍだけ入射側に突出している。
【００６６】
　図２６は本発明の第８の変形例の入力側スラブ導波路と対比するために、先の実施例で使用されたと同様の入力側スラブ導波路近傍の形状を表わしたものである。この入力側スラブ導波路６９Ｄは、その切断箇所１８１の分だけ図２５に示した入力側スラブ導波路６９Ｃと同様にスラブ長Ｓが長めに設定されている。このような入力側スラブ導波路６９Ｄは、切断前に特性をチェックしようとしてもスラブ長Ｓが長いので特性の初期評価を行うことができない。
【００６７】
　これに対して図２５に示した変形例の場合には、第１の入力導波路７４Ｃ1の接続されるスラブ入力端から計った切断前のスラブ長Ｓは長いのでこの部分での特性の初期評価は同様に不可能であるが、第２の入力導波路７４Ｃ2の接続箇所はスラブ長Ｓよりもａμｍだけ短くなっている。したがって、切断前にはこの第２の入力導波路７４Ｃ2を用いて特性の初期評価を行うことができる。そして、特性が良好とされる入力側スラブ導波路６９Ｃを良品として選択し、製品の使用の際には第１の入力導波路７４Ｃ1を選択すればよい。
【００６８】
　＜第９の変形例＞
【００６９】
　図２７は、第９の変形例としての出力側スラブ導波路近傍の形状を表わしたものである。この出力側スラブ導波路７１Ｃは、その切断箇所１９１の近傍に配置された出力導波路７５Ｃの一番端の出力導波路７５Ｃ1のみが出力側スラブ導波路７１Ｃとの接続箇所がストレートな形状となっており、スペクトルモニタ用となっている。図１４および図１６で説明したようにこの出力導波路７５Ｃ1からは急峻なスペクトルの光信号を得ることができるので、この部分をモニタ用とすることで切断箇所１９１の接着を行う際に位置補正の精度を十分向上させることができる。なお、スペクトルモニタ用の出力導波路７５Ｃ1は必ずしもストレートな形状である必要はなくその先端が狭まるようなテーパ状をなしていてもよい。この場合にも、同様に急峻なスペクトルの光信号を得ることができる。
【００７０】
　＜第１０の変形例＞
【００７１】
　図２８は、第１０の変形例としてのアレイ導波路モジュールを表わしたものである。このアレイ導波路モジュール３０１は、箱状のケース３０２とその底部に配置されたペルチェ素子からなる発熱あるいは冷却を行う温度制御素子３０３と、図１に示したアレイ導波路回折格子素子６１とこれらの間に介在する金属板３０４から構成されている。この変形例では金属板３０４として熱伝導性の良い銅板を使用している。金属板３０４は温度制御素子３０３の温度制御領域を拡大するために温度制御素子３０３の接触サイズよりも大きなものが使用されている。
【００７２】
　金属板３０４の内部には温度センサ３０６が熱伝導性の高い材料３０７と共に埋め込まれている。この温度検出出力は、温度制御回路３０８に入力されて温度制御素子３０３の温度制御が行われるようになっている。温度センサ３０６にはサーミスタが使用されている。また、この図では示していないが、入力導波路側には入力光ファイバが接続され、出力導波路側には出力光ファイバが接続されている。
【００７３】
　＜第１１の変形例＞
【００７４】
　図２９は、第１１の変形例としての光通信システムの構成の概要を表わしたものである。この光通信システムで、送信側に配置されたＳＯＮＥＴ（Synchronous Optical Network）装置（光送信機）４０１から送り出された波長λ1〜λNのＮチャネル分の光信号は光マルチプレクサ（ＭＵＸ）４０２で多重された後、ブースタアンプ４０３で増幅されて光伝送路４０４に送り出される。光マルチプレクサ４０２は、アレイ導波路回折格子素子で構成されている。多重化された光信号４０５はインラインアンプ４０６で適宜増幅された後、プリアンプ４０７を経て光デマルチプレクサ（ＤＭＵＸ）４０８で元の波長λ1〜λNに分離され、ＳＯＮＥＴ装置（光受信機）４０９で受信されるが、その途中の光伝送路４０４に適宜の数のノード（ＯＡＤＭ）４１１1〜４１１Mが配置されている。これらのノード４１１1〜４１１Mでは、所望の波長の光信号が入出力されることになる。
【００７５】
　図３０は、ノードの構成の概要を示したものである。ここでは第１のノード４１１1を示しているが、第２〜第Ｍのノード４１１2〜４１１Mも原理的には同一の構成となっている。図２９に示した光伝送路４０４からは光信号４０４が、第１のノード４１１1の入力側アレイ導波路回折格子素子４２１に入力されて波長λ1〜λNのＮチャネル分の光信号に分波され、各波長λ1〜λNごとに設けられた２入力２出力の光スィッチ４２２1〜４２２Nによって、それぞれの波長λ1〜λNの光信号のノード側受信部４２６に取り込む(drop)と共に、ノード側送信部４２４から送信した光信号を挿入する(Add)。２入力２出力の光スィッチ４２２1〜４２２Nの出力側はそれぞれに対応して設けられたアッテネータ（ＡＴＴ）４２７1〜４２７Nによってゲインを調整された後に出力側アレイ導波路回折格子素子４２８に入力されるようになっている。出力側アレイ導波路回折格子素子４２８は入力側アレイ導波路回折格子素子４２１と逆の構成の素子であり、波長λ1〜λNのＮチャネル分の光信号を多重して光伝送路４０４に光信号４０５として送り出すことになる。
【００７６】
　このように図３０に示した第１のノード４１１1を始めとして、図２９に示した第２〜第Ｍのノード４１１2〜４１１Mおよび光マルチプレクサ４０２ならびに光デマルチプレクサ４０８は共にアレイ導波路回折格子素子を使用している。したがって、光信号４０５のチャネル数Ｎが多くなる要請の下で、アレイ導波路回折格子素子のよりフラットな光周波数特性が求められることになる。
【００７７】
　ここでこの変形例で使用されるアレイ導波路回折格子素子としては、図１に示したアレイ導波路回折格子素子６１を少なくともその一部に使用することができる。これにより、先に説明した実施例と同様の効果を得ることができる。
【００７８】
　最後に以上説明した本発明のスラブ導波路を切断するという技術におけるローランド配置からのずれを考察する。
【００７９】
　図３１は入力側スラブ導波路の近傍を示したものである。入力側スラブ導波路６９の入力導波路７４が接続する側の端部である入力スラブの界面はローランド円２０１の一部を形成している。
【００８０】
　所望の光入力位置が矢印２０３で示す点であるとし、スラブ導波路６９を切断線２０４で示す箇所で切断したとする。入力導波路７４が仮に第１〜第５の入力導波路７４1〜７４5で構成されているものとして、切断線２０４の箇所で接着位置を矢印２０５方向に移動させることで、このうちの第３の入力導波路７４3を矢印２０３で示す点まで移動させたとすると、本来のローランド配置からの角度が比較的大きくずれる。しかしながら、入力導波路７４がこの例のように複数本で構成されているとすると、矢印２０３で示す点に最も近い第２の入力導波路７４2から光を入射してこれをこの点まで移動させることで、角度のずれを小さく抑えることができる。その角度ずれは主に損失値に影響する。
【００８１】
　図３２は、以上説明したような入力導波路の角度ずれに起因する過剰損失の計算結果の一例を表わしたものである。ここに示した数値は、アレイ状導波路を設計する際の各設計パラメータによって変化することはもちろんである。この図３２では、図３１に示した第３の入力導波路７４3に光を入射させてそれを矢印２０５方向に移動させて中心波長補正を行う場合を示している。波長補正値（Δλ）が大きくなるほど、それぞれに伴う過剰損失が無視できなくなることがわかる。
【００８２】
　前記したように図３１に示した例では第２の入力導波路７４2に光を入射させて補正することで、角度ずれに起因する損失を低減することができる。このような手法は、従来技術として示した図３４および図３５のアレイ導波路回折格子素子の構成では不可能であり、本発明のようにスラブ導波路６９で切断して張り合わせたり、あるいは切断した形状同士のものを張り合わせることで初めて可能になる技術である。
【図面の簡単な説明】
【００８３】
【図１】本発明の一実施例におけるアレイ導波路回折格子素子を示した平面図である。
【図２】本実施例のアレイ導波路回折格子素子の製造工程を示した流れ図である。
【図３】本発明の第１の変形例におけるアレイ導波路回折格子素子の入力側スラブ導波路の周囲を示した平面図である。
【図４】本発明の第２の変形例におけるアレイ導波路回折格子素子の製造原理を示す説明図である。
【図５】本発明の第３の変形例におけるアレイ導波路回折格子素子の切断箇所を拡大して示した端面図である。
【図６】本発明の第４の変形例としてのアレイ導波路回折格子素子を示した平面図である。
【図７】本発明の第５の変形例としてのアレイ導波路回折格子素子を示した平面図である。
【図８】本発明の第６の変形例で１つのアレイ導波路回折格子素子を３つの部品に分けて別々に製造し接着した状態を表わした平面図である。
【図９】本発明の第６の変形例で第１の部品を単独で示した平面図である。
【図１０】本発明の第６の変形例で入力側スラブ導波路に接続する入力導波路の接続部分の形状とこれによる波長特性の第１の例を示した説明図である。
【図１１】本発明の第６の変形例で入力側スラブ導波路に接続する入力導波路の接続部分の形状とこれによる波長特性の第２の例を示した説明図である。
【図１２】本発明の第６の変形例で入力側スラブ導波路に接続する入力導波路の接続部分の第３の形状とこれによる波長特性の第３の例を示した説明図である。
【図１３】本発明の第６の変形例で第３の部品を単独で示した平面図である。
【図１４】本発明の第６の変形例で出力側スラブ導波路の端面近傍領域とアレイ導波路回折格子素子の光出力の特性の第１の例を示した説明図である。
【図１５】本発明の第６の変形例で出力側スラブ導波路の端面近傍領域とアレイ導波路回折格子素子の光出力の特性の第２の例を示した説明図である。
【図１６】本発明の第６の変形例で出力側スラブ導波路の端面近傍領域とアレイ導波路回折格子素子の光出力の特性の第３の例を示した説明図である。
【図１７】本発明の第７の変形例で１６チャネルＡＷＧの出力側スラブ導波路と出力導波路の一部を示した平面図である。
【図１８】本発明の第７の変形例で波長間隔を拡大した出力側スラブ導波路と出力導波路の一部を示した平面図である。
【図１９】本発明の第７の変形例で３２チャネルＡＷＧの出力側スラブ導波路と出力導波路の一部を示した平面図である。
【図２０】本発明の第７の変形例で出力モニタ導波路を付加した出力側スラブ導波路と出力導波路の一部を示した平面図である。
【図２１】図１７に示した出力側スラブ導波路および出力導波路を使用した場合のアレイ導波路回折格子素子の出力特性を示す特性図である。
【図２２】図１８に示した出力側スラブ導波路および出力導波路を使用した場合のアレイ導波路回折格子素子の出力特性を示す特性図である。
【図２３】図１９に示した出力側スラブ導波路および出力導波路を使用した場合のアレイ導波路回折格子素子の出力特性を示す特性図である。
【図２４】図２０に示した出力側スラブ導波路および出力導波路を使用した場合のアレイ導波路回折格子素子の出力特性を示す特性図である。
【図２５】本発明の第８の変形例における入力側スラブ導波路近傍の形状を表わした平面図である。
【図２６】第８の変形例と対比させるためのスラブ長を単に長めに設定した入力側スラブ導波路近傍の形状を表わした平面図である。
【図２７】本発明の第９の変形例としての出力側スラブ導波路近傍の形状を表わした平面図である。
【図２８】本発明の第１０の変形例としてのアレイ導波路モジュールを表わした側面図である。
【図２９】本発明の第１１の変形例における光通信システムの構成の概要を表わしたシステム構成図である。
【図３０】この第１１の変形例の光通信システムに使用されるノードの構成の概要を示したブロック図である。
【図３１】ローランド配置との関係を説明するための入力側スラブ導波路の近傍を示した説明図である。
【図３２】入力導波路の角度ずれに起因する過剰損失の計算結果の一例を表わした特性図である。
【図３３】従来のアレイ導波路回折格子の全体的な構成を表わした平面図である。
【図３４】アレイ状導波路ウェハの入力側のスラブ入射部で基板を切断したアレイ導波路回折格子素子の構成を表わした斜視図である。
【図３５】入力用ファイバをスラブ導波路用光導波路を介して入力側スラブ導波路に接続したアレイ導波路回折格子素子の構成を表わした平面図である。
【図３６】歩留まり向上対策として採りうる２連化されたアレイ状導波路の例を示した説明図である。
【符号の説明】
【００８４】
　６１、６１Ａ、６１Ｂ、６１Ｃ、６１Ｄ　アレイ導波路回折格子素子
　６３、６３2、１０２、２０４　切断線
　６９、６９Ａ、６９Ｂ、６９Ｃ　入力側スラブ導波路
　７１、７１Ａ、７１Ｂ、７１Ｃ　出力側スラブ導波路
　７２　チャネル導波路アレイ
　７４　入力導波路
　７５　出力導波路
　１０１1、１２１1　第１のＡＷＧチップ
　１０１2、１２１2　第２のＡＷＧチップ
　１４１　第１の部品
　１４２　第２の部品
　１４３　第３の部品
　１４４、１４５　接合面
　３０１　アレイ導波路モジュール
　４０２　光マルチプレクサ
　４０８　光デマルチプレクサ
　４１１　ノード
　Ｓ　スラブ長
【図１】
2004102314.tif 000004
【図２】
2004102314.tif 000005
【図３】
2004102314.tif 000006
【図４】
2004102314.tif 000007
【図５】
2004102314.tif 000008
【図６】
2004102314.tif 000009
【図７】
2004102314.tif 000010
【図８】
2004102314.tif 000011
【図９】
2004102314.tif 000012
【図１０】
2004102314.tif 000013
【図１１】
2004102314.tif 000014
【図１２】
2004102314.tif 000015
【図１３】
2004102314.tif 000016
【図１４】
2004102314.tif 000017
【図１５】
2004102314.tif 000018
【図１６】
2004102314.tif 000019
【図１７】
2004102314.tif 000020
【図１８】
2004102314.tif 000021
【図１９】
2004102314.tif 000022
【図２０】
2004102314.tif 000023
【図２１】
2004102314.tif 000024
【図２２】
2004102314.tif 000025
【図２３】
2004102314.tif 000026
【図２４】
2004102314.tif 000027
【図２５】
2004102314.tif 000028
【図２６】
2004102314.tif 000029
【図２７】
2004102314.tif 000030
【図２８】
2004102314.tif 000031
【図２９】
2004102314.tif 000032
【図３０】
2004102314.tif 000033
【図３１】
2004102314.tif 000034
【図３２】
2004102314.tif 000035
【図３３】
2004102314.tif 000036
【図３４】
2004102314.tif 000037
【図３５】
2004102314.tif 000038
【図３６】
2004102314.tif 000039